(57)【要約】  本発明の課題は、通信機能を備える携帯端末装置において、通信機能の拡大に伴い、ラジオ、テレビ、無線ＬＡＮ、Ｂｌｕｅｔｏｏｔｈ、ＲＦＩＤなど多種多様なアプリケーションを搭載することが要求されており、特に携帯端末装置と接続させたＡＣアダプタを用いて、安定した通信あるいは受信を行うことである。本発明において、ＡＣアダプタ５０のコネクタ１１を携帯端末装置６０に接続（挿入）することで、アンテナが携帯端末装置の内部アンテナ７１からＡＣアダプタ５０のコード１２を利用した外部アンテナ（コードアンテナ）に切替わり、フェライト１３の位置を変えることにより、目的の周波数に応じてアンテナの同調を行うことができ、安定した通信又は受信を確保することができる。
2007138670.tif 000002
【特許請求の範囲】
【請求項１】
携帯端末装置と電気的に接続するコネクタ部と、
ＡＣコンセントに接続可能なプラグと、
交流を直流に変換する変換部と、
前記コネクタ部と前記変換部との間を接続するコードと、
同調する周波数に応じた所要位置へ、前記コード上を移動可能に設けたフェライトと、
このフェライトの移動位置に応じて電気長が変更する、前記コードを利用した外部アンテナと、
を有するＡＣアダプタ。
【請求項２】
前記コード部分に、使用周波数の上限および下限に合わせて、前記フェライトが移動できる範囲を制限するためのストッパーを具備した請求項１に記載のＡＣアダプタ。
【請求項３】
前記コード部分に、使用周波数の帯域を識別するための識別表示手段を設けた請求項１又は２に記載のＡＣアダプタ。
【請求項４】
前記変換部の直後の位置に、フェライトを固定して設けた請求項１〜３のいずれか１項に記載のＡＣアダプタ。
【請求項５】
内部アンテナを有するとともに、請求項１〜４のいずれか１項に記載のＡＣアダプタを接続可能なコネクタを有する携帯端末装置であって、
前記コネクタに前記ＡＣアダプタが接続されたことを検出する検出部と、
アンテナを、前記内部アンテナから、前記ＡＣアダプタ側の前記外部アンテナに切替えるアンテナ切替部と、
前記検出部により検出された信号に基づき前記アンテナ切替部を制御する制御部と、
を有し、
前記ＡＣアダプタを接続すると、前記アンテナ切替部により前記内部アンテナから前記ＡＣアダプタ側の前記外部アンテナに切替わるように構成した携帯端末装置。
【発明の詳細な説明】
【技術分野】
【０００１】
本発明は、ＡＣアダプタ、及びこのＡＣアダプタと接続させるコネクタと通信機能とを備えた携帯端末装置に関する。
【背景技術】
【０００２】
従来、ＡＣアダプタは、電子機器への電源供給の他に、２次電池の充電用電源供給手段としても用いられている。具体例として挙げると、パソコンの液晶モニター用の電源、携帯電話機・デジタルカメラ・ビデオムービー・ノートパソコンなどの２次電池を搭載した電子機器の充電用の電源などに活用されている。また、ＡＣアダプタの小型化に伴い、スイッチング電源方式が主流になってきている。
ここで、図１０に従来の携帯電話機用のＡＣアダプタの一例を示す。このＡＣアダプタ１００は、携帯電話機と接続するコネクタ部１０１と、コード１０２と、ＡＣ／ＤＣ変換部１０３と、コンセントに差し込むＡＣプラグ１０４とを備えている。【０００３】
ところで、例えばＦＭラジオでは、ＡＣアダプタのコードをＦＭ専用アンテナとして利用することにより、ＦＭラジオ本体のアンテナを不要とする技術が知られている（例えば、特許文献１参照）。また、電源供給台を備えたラジオ受信機において、ラジオ受信機を電源供給台に搭載したときに、ラジオ受信機と電源供給台の外部アンテナ端子を誘導結合で結合し、アンテナラインにＡＣアダプタの電源を重畳させるようにして、外部アンテナに内蔵される高周波増幅器に電源を供給するようにした技術も知られている（例えば、特許文献２参照）。
【特許文献１】特開昭６２−２３５８２５公報
【特許文献２】特開２００４−３６３７３８公報（第１０頁、図４）
【発明の開示】
【発明が解決しようとする課題】
【０００４】
しかしながら、特許文献１に記載されている技術では、周波数帯域がＦＭ専用になってしまい、広帯域な周波数に対応することができない。また、ＡＣアダプタのコード全体をアンテナとするため、周波数を調整することもできない。特に、最近の携帯電話機では、ＡＭ、ＦＭ、ＴＶなどの受信機が搭載されているものも開発されており、幅広い周波数帯域のアンテナが必要になってきている。【０００５】
また、特許文献２に記載されている技術では、電源供給台の外部アンテナ端子に接続する外部アンテナによって、広帯域な周波数に対応することが可能である。ところが、この特許文献２に記載のものは、外部アンテナを用意する必要があり、手軽に放送受信を楽しむことができなかった。【０００６】
一方、携帯電話機などの携帯端末装置では、装置の小型化により、アンテナの物理的な設置スペースに制限がある。また、デザイン性の重視により、アンテナが筐体に内蔵されるタイプの携帯電話機などが増えてきており、アンテナの性能向上を図る上では厳しい条件になってきている。さらに、周波数有効利用のためのデュアルバンド対応、トリプルバンド対応などの通信周波数の広帯域化も考え合わせると、アンテナが複数必要になっている。また、通信用のアンテナと放送受信用のアンテナは同時動作が要求され、通信用のアンテナと放送受信用のアンテナ間における干渉、アイソレーションが、問題になってくる。さらに、建物の中では電波を遮蔽するものが多く存在し、受信電界が減衰して安定な受信ができない場合がある。【０００７】
本発明は、このような問題を解決するためになされたもので、ＡＣアダプタのコードを多周波対応のアンテナとして動作させることにより、ＡＣアダプタ接続時に専用の外部アンテナを接続することなく、安定した受信または通信を確保することができるＡＣアダプタ及び携帯端末装置を提供すること目的とする。
【課題を解決するための手段】
【０００８】
上記の目的を達成するために、本発明のＡＣアダプタは、携帯端末装置と電気的に接続するコネクタ部と、ＡＣコンセントに接続可能なプラグと、交流を直流に変換する変換部と、前記コネクタ部と前記変換部との間を接続するコードと、同調する周波数に応じた所要位置へ、前記コード上を移動可能に設けたフェライトと、このフェライトの移動位置に応じて電気長が変更する、前記コードを利用した外部アンテナと、を有している。
この構成により、ＡＣアダプタがＡＣコンセントに接続されているかどうかに関わらず、ＡＣアダプタを携帯端末装置に接続することによって、アンテナがＡＣアダプタのコードを利用した外部アンテナに切替わることが可能となる。また、この構成により、フェライトをコード上で移動させることによって、コード上の定在波の周波数を可変にすることにより、最適な周波数に同調をとることが可能となる。【０００９】
また本発明のＡＣアダプタは、前記コード部分に、使用周波数の上限および下限に合わせて、前記フェライトが移動できる範囲を制限するためのストッパーを具備している。この構成により、フェライトの移動を使用周波数範囲から逸脱しないようにすることが可能となる。【００１０】
また本発明のＡＣアダプタは、前記コード部分に、使用周波数の帯域を識別するための識別表示手段を設けている。この構成により、使用周波数帯域毎に容易に同調をとることが可能となる。【００１１】
また本発明のＡＣアダプタは、前記変換部の直後の位置に、フェライトを固定して設けている。この構成により、変換部の雑音を除去することが可能となる。【００１２】
本発明の携帯端末装置は、内部アンテナを有するとともに、上記のいずれかのＡＣアダプタを接続可能なコネクタを有する携帯端末装置であって、前記コネクタに前記ＡＣアダプタが接続されたことを検出する検出部と、アンテナを、前記内部アンテナから、前記ＡＣアダプタ側の前記外部アンテナに切替えるアンテナ切替部と、前記検出部により検出された信号に基づき前記アンテナ切替部を制御する制御部と、を有し、前記ＡＣアダプタを接続すると、前記アンテナ切替部により前記内部アンテナから前記ＡＣアダプタ側の前記外部アンテナに切替わるように構成している。
【発明の効果】
【００１３】
本発明によれば、携帯端末装置に対して充電・通電を行うＡＣアダプタにおいて、そのコード部分をアンテナとして利用する際に、移動位置に応じて電気長が変更するフェライトを、コード上で同調すべき周波数に応じた所要位置へ移動可能に設けることによって、所望の周波数に容易に同調が取れるようにできる。
【図面の簡単な説明】
【００１４】
【図１】本発明の第１の実施形態に係るＡＣアダプタの外観斜視図
【図２】そのＡＣアダプタに設けたフェライトによる周波数特性図
【図３】その可動可能なフェライトの具体的な形状を示す斜視図
【図４】そのフェライトの変形例である、脱着可能なフェライトを示す斜視図
【図５】本発明の第２の実施形態に係るＡＣアダプタの外観斜視図
【図６】本発明の第３の実施形態に係るＡＣアダプタの外観斜視図
【図７】本発明の第４の実施形態に係るＡＣアダプタの外観斜視図
【図８】本発明の第５の実施形態に係る携帯端末装置の要部の回路構成図
【図９】その携帯端末装置の全体構成を示すブロック図
【図１０】従来のＡＣアダプタを示す外観斜視図
【符号の説明】
【００１５】
１０、２０、３０、４０、５０  ＡＣアダプタ
１１、７６  コネクタ
１２  コード（外部アンテナ）
１３、１３Ａ、１３Ｂ  フェライト
１４  ＡＣ／ＤＣ変換部
１５  ＡＣプラグ
２１  高域側ストッパー（ストッパー）
２２  低域側ストッパー（ストッパー）
３１  高域用マーカー（識別表示手段）
３２  中域用マーカー（識別表示手段）
３３  低域用マーカー（識別表示手段）
４１  ノイズフィルタ
６０  携帯端末装置
６１、６６  高周波遮断コイル
６２  ＧＮＤ
６３  コンデンサ
６４  アンテナ給電点
６５  ＋側の電源
７１  アンテナ（内部アンテナ）
７２  電源部
７３  アンテナ切替部
７４  アンテナ切替制御部
７５  電源アンテナ分離部
７７  ＡＣアダプタ挿入検出部
【発明を実施するための最良の形態】
【００１６】
以下、本発明の実施の形態について、添付図面を参照しながら詳細に説明する。
（第１の実施形態）
図１は、本発明の第１の実施形態に係るＡＣアダプタ１０の外観図である。
このＡＣアダプタ１０は、図示外の携帯端末装置に接続させるようになっており、コネクタ部１１と、コード１２と、フェライト１３と、ＡＣ／ＤＣ変換部１４と、ＡＣプラグ１５とを備えている。【００１７】
ＡＣ／ＤＣ変換部１４とＡＣプラグ１５は、一体構造になっており、ＤＣ電源出力はコード１２によって、コネクタ部１１に供給される。フェライト１３は、コード１２上を自由に移動することができる構造になっている。また、このフェライト１３は、高周波を遮断する特性を有している。このため、任意の電気長のコード(以下、「コードアンテナ」とよぶこともある)１２にフェライト１３を挿入することにより、高周波で任意の電気長を作り出すことが可能となる。【００１８】
次に、図２は、一般的なフェライトの周波数特性を示している。このフェライトは、使用周波数の用途に応じた適宜の材料により、周波数特性を変えることができる。例えば、図２で例に挙げているフェライトでは、Ａが１〜２０ＭＨｚ、Ｂが３０〜２５０ＭＨｚ、Ｃが２００〜２０００ＭＨｚである。この周波数は、フェライトにより電力が減衰する周波数を示している。【００１９】
ＡＣアダプタのコードをアンテナとして使用するときの周波数は、ＦＭラジオの場合は７６〜９０ＭＨｚ、ＶＨＦテレビの場合は１〜１２チャネルで９０〜２２２ＭＨｚ、ＵＨＦテレビの場合は１３〜６２チャネルで４７０〜７７０ＭＨｚとなる。従って、アンテナとするコードの全長は、アンテナが（１／４）λとして、ＦＭラジオの場合は０．９９〜０．８３ｍ、ＶＨＦテレビの場合は０．８３〜０．３４ｍ、ＵＨＦテレビの場合は０．１６〜０．１ｍとなる。【００２０】
例えば、ＡＣアダプタのコードをＦＭラジオのアンテナとする場合は、図２のＢのタイプのフェライトを用い、図１でのＡ寸法は、０．９９〜０．８３ｍとなる。また、ＶＨＦテレビのアンテナとする場合は、図２のＢのタイプのフェライトを用い、図１のＡ寸法は、０．８３〜０．３４ｍとなる。また、ＵＨＦテレビのアンテナとする場合は、図２のＣのタイプのフェライトを用い、図１のＡ寸法は、０．１６〜０．１ｍとなる。【００２１】
また、フェライト１３に分割可能なタイプを採用することによって、使用する周波数帯に応じてフェライトを交換することも可能である。また、フェライトの種類によっては、図２のＢのタイプとＣのタイプを１つのフェライトでカバーするようなフェライトの作製も可能である。このようなフェライトを用いることによって、ＡＣアダプタのコードでＦＭ〜ＵＨＦまでカバーできるアンテナを作製することができる。【００２２】
なお、本実施形態のコード上を移動することが可能なフェライトについては、周波数を同調させる操作の際には容易に移動できない構造および寸法になっているため、力を加えることによってのみ移動することができるように構成してある。【００２３】
例えば、図３及び図４は、それぞれ、コード上を移動可能なフェライト１３の具体的な構造例である。図３のタイプのフェライト１３Ａは、コード１２上を移動することは可能であるが、コード１２上から取り外すことはできない。一方、図４のタイプのフェライト１３Ｂは、分割型になっており、例えば一体に接合させればコード１２上を移動することができ、２個などに分離させればコード１２上から取り外すことも可能である。また、さらに別のタイプとして、例えば取り外すとシート状となるものを円筒形状に組み立てることで、コード１２上を移動可能とする構成のものでもよい。【００２４】
（第２の実施形態）
図５は、本発明の第２の実施形態に係るＡＣアダプタ２０の外観図である。なお、本実施形態において、第１の実施形態と同一部分には同一符号を付して重複説明を避ける。
本実施形態のＡＣアダプタ２０は、コネクタ部１１と、コード１２と、フェライト１３と、ＡＣ／ＤＣ変換部１４と、ＡＣプラグ１５との他に、高域側ストッパー１０６と、低域側ストッパー１０７とを備えている。【００２５】
本実施形態でも、第１の実施形態と同様、任意の電気長のコード１２にフェライト１３を挿入することにより、高周波で任意の電気長を作り出すことが可能となる。さらに、本実施形態では、第１の実施形態と異なり、高域側ストッパー２１と低域側ストッパー２２を設けている。【００２６】
この高域側ストッパー２１と低域側ストッパー２２により、同調周波数の範囲を明確にすることができる。例えば、ＦＭラジオの場合は７６〜９０ＭＨｚ、ＶＨＦテレビの場合は１〜１２チャネルで９０〜２２２ＭＨｚ、ＵＨＦテレビの場合は１３〜６２チャネルで４７０〜７７０ＭＨｚである。
従って、対応するバンドがＦＭ〜ＵＨＦまでの場合は、高域側ストッパー２１は、遮断周波数が７７０ＭＨｚであり、これに対応する電気長（同調させるアンテナの長さが（１／４）λであれば０．１ｍ）の所に固定されている。また、低域側ストッパー２２は、遮断周波数が７６ＭＨｚであり、これに対応する電気長（同調させるアンテナの長さが（１／４）λであれば０．９９ｍ）の所に固定されている。この電気長とは、ＡＣアダプタ２０が接続される図示外の電子機器の内部のアンテナの給電点からの距離である。【００２７】
これにより、本実施形態によれば、７６ＭＨｚより低い周波数及び７７０ＭＨｚより高い周波数には同調できないように構成することができる。【００２８】
（第３の実施形態）
図６は本発明の第３の実施形態に係るＡＣアダプタ３０の外観図である。なお、本実施形態において、第１の実施形態と同一部分には同一符号を付して重複説明を避ける。
本実施形態のＡＣアダプタ３０は、コネクタ部１１と、コード１２と、フェライト１３と、ＡＣ／ＤＣ変換部１４と、ＡＣプラグ１５と、高域側ストッパー２１と、低域側ストッパー２２との他に、使用周波数の帯域を識別する識別表示手段として、高域用マーカー３１と、中域用マーカー３２と、低域用マーカー３３とを備えている。【００２９】
即ち、本実施形態でも、任意の電気長のコード１２にフェライト１３を挿入することにより、高周波で任意の電気長を作り出すことが可能であり、また、高域側ストッパー２１と低域側ストッパー２２により、対応周波数の下限周波数と上限周波数の範囲内を自由に設定することが可能である。【００３０】
さらに、本実施形態では、第１、第２の実施形態と異なり、フェライト１３を移動させて周波数を同調させるための位置を、対応周波数の中から、ＦＭバンド、ＶＨＦバンド、ＵＨＦバンド等のバンド毎に（或いは帯域毎に）予め算出して探し出してあり、この位置を識別表示手段であるマーカーによって目安表示させている。
具体例として、例えば高域用マーカー３１がＦＭバンド（７６〜９０ＭＨｚ）、中域用マーカー３２がＶＨＦバンド（９０〜２２２ＭＨｚ）、低域用マーカー３３がＵＨＦバンド（４７０〜７７０ＭＨｚ）に、それぞれ対応させている。
これにより、各マーカー３１〜３３を手掛かりにして、周波数の同調を容易に行うことができるようになる。【００３１】
（第４の実施形態）
図７は本発明の第４の実施形態に係るＡＣアダプタ４０の外観図である。
本実施形態の特徴としては、第１の実施形態から第３の実施形態のＡＣアダプタ１０〜３０において、ノイズフィルタ４１を装着したものである。【００３２】
このノイズフィルタ４１は、ＡＣ／ＤＣ変換部１４に使われているスイッチング用発振周波数のノイズを除去するためのものである。また、その装着位置としては、ＡＣ／ＤＣ変換部１４の出力側に近い所に置くことが効果的である。特に、コード１２をアンテナとしているため、スイッチング用発振周波数の高調波がそのアンテナを経由して、図示外の携帯端末装置（受信機）のフロントエンド部に混入しやすいため、ノイズの除去が必要となっているからである。【００３３】
（第５の実施形態）
図８は本発明の第５の実施形態に係るＡＣアダプタ５０を携帯端末装置６０に接続したときの要部の回路構成を示す。なお、本実施形態のＡＣアダプタ５０としては、図９を用いて後にその構成を説明するが、前述した第１の実施形態から第４の実施形態に係るＡＣアダプタ１０〜ＡＣアダプタ４０のいずれを用いてもよい。【００３４】
コネクタ部１１を携帯端末装置６０に接続した状態において、コード１２がアンテナとして動作する。
このコード１２は、通常は同軸構造になっており、図示しない外皮側の電線をアンテナとして使用する。外皮側の電線は、通常ＧＮＤ側として使用される。外皮側の電線は、高周波遮断コイル６１に接続され、ＧＮＤ６２に終端されている。コード１２をアンテナとして使用する周波数範囲が、例えば７６ＭＨｚ〜７７０ＭＨｚであれば、１００ｎＨ〜１０μＨ程度のコイルを高周波遮断コイル６１として用いることで、ＧＮＤ６２側に流れる高周波電流を遮断することができる。【００３５】
また、コード１２の外皮側の電線はコンデンサ６３を経由して、アンテナ給電点６４に接続している。コンデンサ６４は、直流カットの他、静電気によるフロントエンド部またはスイッチ部の半導体素子の破壊防止の役目を果たしている。コード１２をアンテナとして使用する周波数範囲が、例えば７６ＭＨｚ〜７７０ＭＨｚであれば、１０００ｐＦ〜０．０１μＦ程度のコンデンサ６３を用いることで、該当周波数をほとんど減衰させることなく通過させることができる。【００３６】
また、コード１２の芯線側の電線は、通常＋側の電源６５として使用される。この芯線側の電線に携帯端末装置６０のノイズが重畳すると、コード１２の内部で外皮側の電線にノイズが容量結合するため、芯線側にも高周波遮断コイル６６を挿入する。
この高周波遮断コイル６６は、高周波遮断コイル６１と同様に、周波数範囲が例えば７６ＭＨｚ〜７７０ＭＨｚであれば、１００ｎＨ〜１０μＨ程度のコイルを高周波遮断コイル６６として用いることで、外皮側の電線にノイズが容量結合することを防ぐ。【００３７】
次に、図９は本発明の第５の実施形態に係るＡＣアダプタ５０を携帯端末装置６０に接続したときの全体構成を示すブロック図である。
同図において、ＡＣアダプタ５０は、ＡＣ／ＤＣ変換部１４と、携帯端末装置６０と接続するためのコネクタ１１と、コードアンテナ（外部アンテナ）１２と、フェライト１３と、を備えている。【００３８】
一方、携帯端末装置６０には、アンテナ（内部アンテナ）７１と、電源部７２と、アンテナ切替部７３と、アンテナ切替制御部７４と、電源アンテナ分離部７５と、コネクタ７６と、ＡＣアダプタ挿入検出部７７などを備えている。なお、電源アンテナ分離部７５は、内部アンテナ７１と、ＡＣアダプタ５０の電源とコードの外皮の導線を利用したコードアンテナ１２とを分離する手段を構成する。【００３９】
ＡＣアダプタ５０が携帯端末装置６０のコネクタ７６に接続（挿入）されると、この接続状態がＡＣアダプタ挿入検出部７７によって検出され、アンテナ切替制御部７４によって、アンテナ切替部７３が動作し、アンテナ（内部アンテナ）７１からＡＣアダプタ側のコードアンテナ（外部アンテナ）１２に切替わる。即ち、本実施形態によれば、携帯端末装置６０にＡＣアダプタ５０を接続するだけで、携帯端末装置のアンテナを、アンテナ７１からコードアンテナ１２に自動的に切替えることができる。【００４０】
本発明を詳細にまた特定の実施態様を参照して説明したが、本発明の精神と範囲を逸脱することなく様々な変更や修正を加えることができることは当業者にとって明らかである。
【産業上の利用可能性】
【００４１】
以上説明したように、本発明のＡＣアダプタ及び携帯端末装置は、通信機能を備える携帯端末装置本体に電源供給として接続されるＡＣアダプタにおいて、アンテナの機能を持たせることで、安定した通信を容易に実現することが可能となる携帯電話機、ＰＨＳ、ＰＤＡ、携帯型のラジオ、携帯型のテレビ、無線ＬＡＮ、Ｂｌｕｅｔｏｏｔｈ、ＲＦＩＤなどに有用である。
【図１】
2007138670.tif 000003
【図２】
2007138670.tif 000004
【図３】
2007138670.tif 000005
【図４】
2007138670.tif 000006
【図５】
2007138670.tif 000007
【図６】
2007138670.tif 000008
【図７】
2007138670.tif 000009
【図８】
2007138670.tif 000010
【図９】
2007138670.tif 000011
【図１０】
2007138670.tif 000012
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
携帯端末装置と電気的に接続するコネクタ部と、
ＡＣコンセントに接続するプラグと、
交流を直流に変換する変換部と、
前記コネクタ部と前記変換部との間を接続するコードと、
前記コード上を移動可能に設けたフェライトと、
前記コード上にフェライトの位置を規制する位置規制手段と、
を備え、
前記コードをアンテナとしたことを特徴とするＡＣアダプタ。
【請求項２】
携帯端末装置と電気的に接続するコネクタ部と、
ＡＣコンセントに接続するプラグと、
交流を直流に変換する変換部と、
前記コネクタ部と前記変換部との間を接続するコードと、
前記コード上を移動可能に設けたフェライトと、
前記コード上に使用周波数の帯域を識別するための識別表示手段と、
を備え、
前記コードをアンテナとしたことを特徴とするＡＣアダプタ。
【請求項３】
請求項１または請求項２に記載のＡＣアダプタが接続される携帯端末装置。
【請求項４】
（削除）
【請求項５】
（削除）
【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
携帯端末装置と電気的に接続するコネクタ部と、
ＡＣコンセントに接続するプラグと、
交流を直流に変換する変換部と、
前記コネクタ部と前記変換部との間を接続するコードと、
前記コード上を移動可能に設けたフェライトと、
前記コード上にフェライトの位置を規制する位置規制手段と、
を備え、
前記コードをアンテナとしたことを特徴とするＡＣアダプタ。
【請求項２】
携帯端末装置と電気的に接続するコネクタ部と、
ＡＣコンセントに接続するプラグと、
交流を直流に変換する変換部と、
前記コネクタ部と前記変換部との間を接続するコードと、
前記コード上を移動可能に設けたフェライトと、
前記コード上に使用周波数の帯域を識別するための識別表示手段と、
を備え、
前記コードをアンテナとしたことを特徴とするＡＣアダプタ。
【請求項３】
請求項１または請求項２に記載のＡＣアダプタが接続される携帯端末装置。
【手続補正２】
【補正対象書類名】明細書
【補正対象項目名】全文
【補正方法】変更
【補正の内容】
【発明の詳細な説明】
【技術分野】
【０００１】
本発明は、ＡＣアダプタ、及びこのＡＣアダプタと接続させるコネクタと通信機能とを備えた携帯端末装置に関する。
【背景技術】
【０００２】
従来、ＡＣアダプタは、電子機器への電源供給の他に、２次電池の充電用電源供給手段としても用いられている。具体例として挙げると、パソコンの液晶モニター用の電源、携帯電話機・デジタルカメラ・ビデオムービー・ノートパソコンなどの２次電池を搭載した電子機器の充電用の電源などに活用されている。また、ＡＣアダプタの小型化に伴い、スイッチング電源方式が主流になってきている。
ここで、図１０に従来の携帯電話機用のＡＣアダプタの一例を示す。このＡＣアダプタ１００は、携帯電話機と接続するコネクタ部１０１と、コード１０２と、ＡＣ／ＤＣ変換部１０３と、コンセントに差し込むＡＣプラグ１０４とを備えている。
【０００３】
ところで、例えばＦＭラジオでは、ＡＣアダプタのコードをＦＭ専用アンテナとして利用することにより、ＦＭラジオ本体のアンテナを不要とする技術が知られている（例えば、特許文献１参照）。また、電源供給台を備えたラジオ受信機において、ラジオ受信機を電源供給台に搭載したときに、ラジオ受信機と電源供給台の外部アンテナ端子を誘導結合で結合し、アンテナラインにＡＣアダプタの電源を重畳させるようにして、外部アンテナに内蔵される高周波増幅器に電源を供給するようにした技術も知られている（例えば、特許文献２参照）。
【特許文献１】特開昭６２−２３５８２５公報
【特許文献２】特開２００４−３６３７３８公報（第１０頁、図４）
【発明の開示】
【発明が解決しようとする課題】
【０００４】
しかしながら、特許文献１に記載されている技術では、周波数帯域がＦＭ専用になってしまい、広帯域な周波数に対応することができない。また、ＡＣアダプタのコード全体をアンテナとするため、周波数を調整することもできない。特に、最近の携帯電話機では、ＡＭ、ＦＭ、ＴＶなどの受信機が搭載されているものも開発されており、幅広い周波数帯域のアンテナが必要になってきている。
【０００５】
また、特許文献２に記載されている技術では、電源供給台の外部アンテナ端子に接続する外部アンテナによって、広帯域な周波数に対応することが可能である。ところが、この特許文献２に記載のものは、外部アンテナを用意する必要があり、手軽に放送受信を楽しむことができなかった。
【０００６】
一方、携帯電話機などの携帯端末装置では、装置の小型化により、アンテナの物理的な設置スペースに制限がある。また、デザイン性の重視により、アンテナが筐体に内蔵されるタイプの携帯電話機などが増えてきており、アンテナの性能向上を図る上では厳しい条件になってきている。さらに、周波数有効利用のためのデュアルバンド対応、トリプルバンド対応などの通信周波数の広帯域化も考え合わせると、アンテナが複数必要になっている。また、通信用のアンテナと放送受信用のアンテナは同時動作が要求され、通信用のアンテナと放送受信用のアンテナ間における干渉、アイソレーションが、問題になってくる。さらに、建物の中では電波を遮蔽するものが多く存在し、受信電界が減衰して安定な受信ができない場合がある。
【０００７】
本発明は、このような問題を解決するためになされたもので、ＡＣアダプタのコードを多周波対応のアンテナとして動作させることにより、ＡＣアダプタ接続時に専用の外部アンテナを接続することなく、安定した受信または通信を確保することができるＡＣアダプ
タ及び携帯端末装置を提供すること目的とする。
【課題を解決するための手段】
【０００８】
上記の目的を達成するために、本発明のＡＣアダプタは、携帯端末装置と電気的に接続するコネクタ部と、ＡＣコンセントに接続可能なプラグと、交流を直流に変換する変換部と、前記コネクタ部と前記変換部との間を接続するコードと、同調する周波数に応じた所要位置へ、前記コード上を移動可能に設けたフェライトと、このフェライトの移動位置に応じて電気長が変更する、前記コードを利用した外部アンテナと、を有している。
この構成により、ＡＣアダプタがＡＣコンセントに接続されているかどうかに関わらず、ＡＣアダプタを携帯端末装置に接続することによって、アンテナがＡＣアダプタのコードを利用した外部アンテナに切替わることが可能となる。また、この構成により、フェライトをコード上で移動させることによって、コード上の定在波の周波数を可変にすることにより、最適な周波数に同調をとることが可能となる。
【０００９】
また本発明のＡＣアダプタは、前記コード部分に、使用周波数の上限および下限に合わせて、前記フェライトが移動できる範囲を制限するためのストッパーを具備している。この構成により、フェライトの移動を使用周波数範囲から逸脱しないようにすることが可能となる。
【００１０】
また本発明のＡＣアダプタは、前記コード部分に、使用周波数の帯域を識別するための識別表示手段を設けている。この構成により、使用周波数帯域毎に容易に同調をとることが可能となる。
【００１１】
また本発明のＡＣアダプタは、前記変換部の直後の位置に、フェライトを固定して設けている。この構成により、変換部の雑音を除去することが可能となる。
【００１２】
本発明の携帯端末装置は、内部アンテナを有するとともに、上記のいずれかのＡＣアダプタを接続可能なコネクタを有する携帯端末装置であって、前記コネクタに前記ＡＣアダプタが接続されたことを検出する検出部と、アンテナを、前記内部アンテナから、前記ＡＣアダプタ側の前記外部アンテナに切替えるアンテナ切替部と、前記検出部により検出された信号に基づき前記アンテナ切替部を制御する制御部と、を有し、前記ＡＣアダプタを接続すると、前記アンテナ切替部により前記内部アンテナから前記ＡＣアダプタ側の前記外部アンテナに切替わるように構成している。
【発明の効果】
【００１３】
本発明によれば、携帯端末装置に対して充電・通電を行うＡＣアダプタにおいて、そのコード部分をアンテナとして利用する際に、移動位置に応じて電気長が変更するフェライトを、コード上で同調すべき周波数に応じた所要位置へ移動可能に設けることによって、所望の周波数に容易に同調が取れるようにできる。
【発明を実施するための最良の形態】
【００１４】
以下、本発明の実施の形態について、添付図面を参照しながら詳細に説明する。
（第１の実施形態）
図１は、本発明の第１の実施形態に係るＡＣアダプタ１０の外観図である。
このＡＣアダプタ１０は、図示外の携帯端末装置に接続させるようになっており、コネクタ部１１と、コード１２と、フェライト１３と、ＡＣ／ＤＣ変換部１４と、ＡＣプラグ１５とを備えている。
【００１５】
ＡＣ／ＤＣ変換部１４とＡＣプラグ１５は、一体構造になっており、ＤＣ電源出力はコード１２によって、コネクタ部１１に供給される。フェライト１３は、コード１２上を自
由に移動することができる構造になっている。また、このフェライト１３は、高周波を遮断する特性を有している。このため、任意の電気長のコード(以下、「コードアンテナ」とよぶこともある)１２にフェライト１３を挿入することにより、高周波で任意の電気長を作り出すことが可能となる。
【００１６】
次に、図２は、一般的なフェライトの周波数特性を示している。このフェライトは、使用周波数の用途に応じた適宜の材料により、周波数特性を変えることができる。例えば、図２で例に挙げているフェライトでは、Ａが１〜２０ＭＨｚ、Ｂが３０〜２５０ＭＨｚ、Ｃが２００〜２０００ＭＨｚである。この周波数は、フェライトにより電力が減衰する周波数を示している。
【００１７】
ＡＣアダプタのコードをアンテナとして使用するときの周波数は、ＦＭラジオの場合は７６〜９０ＭＨｚ、ＶＨＦテレビの場合は１〜１２チャネルで９０〜２２２ＭＨｚ、ＵＨＦテレビの場合は１３〜６２チャネルで４７０〜７７０ＭＨｚとなる。従って、アンテナとするコードの全長は、アンテナが（１／４）λとして、ＦＭラジオの場合は０．９９〜０．８３ｍ、ＶＨＦテレビの場合は０．８３〜０．３４ｍ、ＵＨＦテレビの場合は０．１６〜０．１ｍとなる。
【００１８】
例えば、ＡＣアダプタのコードをＦＭラジオのアンテナとする場合は、図２のＢのタイプのフェライトを用い、図１でのＡ寸法は、０．９９〜０．８３ｍとなる。また、ＶＨＦテレビのアンテナとする場合は、図２のＢのタイプのフェライトを用い、図１のＡ寸法は、０．８３〜０．３４ｍとなる。また、ＵＨＦテレビのアンテナとする場合は、図２のＣのタイプのフェライトを用い、図１のＡ寸法は、０．１６〜０．１ｍとなる。
【００１９】
また、フェライト１３に分割可能なタイプを採用することによって、使用する周波数帯に応じてフェライトを交換することも可能である。また、フェライトの種類によっては、図２のＢのタイプとＣのタイプを１つのフェライトでカバーするようなフェライトの作製も可能である。このようなフェライトを用いることによって、ＡＣアダプタのコードでＦＭ〜ＵＨＦまでカバーできるアンテナを作製することができる。
【００２０】
なお、本実施形態のコード上を移動することが可能なフェライトについては、周波数を同調させる操作の際には容易に移動できない構造および寸法になっているため、力を加えることによってのみ移動することができるように構成してある。
【００２１】
例えば、図３及び図４は、それぞれ、コード上を移動可能なフェライト１３の具体的な構造例である。図３のタイプのフェライト１３Ａは、コード１２上を移動することは可能であるが、コード１２上から取り外すことはできない。一方、図４のタイプのフェライト１３Ｂは、分割型になっており、例えば一体に接合させればコード１２上を移動することができ、２個などに分離させればコード１２上から取り外すことも可能である。また、さらに別のタイプとして、例えば取り外すとシート状となるものを円筒形状に組み立てることで、コード１２上を移動可能とする構成のものでもよい。
【００２２】
（第２の実施形態）
図５は、本発明の第２の実施形態に係るＡＣアダプタ２０の外観図である。なお、本実施形態において、第１の実施形態と同一部分には同一符号を付して重複説明を避ける。
本実施形態のＡＣアダプタ２０は、コネクタ部１１と、コード１２と、フェライト１３と、ＡＣ／ＤＣ変換部１４と、ＡＣプラグ１５との他に、高域側ストッパー１０６と、低域側ストッパー１０７とを備えている。
【００２３】
本実施形態でも、第１の実施形態と同様、任意の電気長のコード１２にフェライト１３
を挿入することにより、高周波で任意の電気長を作り出すことが可能となる。さらに、本実施形態では、第１の実施形態と異なり、高域側ストッパー２１と低域側ストッパー２２を設けている。
【００２４】
この高域側ストッパー２１と低域側ストッパー２２により、同調周波数の範囲を明確にすることができる。例えば、ＦＭラジオの場合は７６〜９０ＭＨｚ、ＶＨＦテレビの場合は１〜１２チャネルで９０〜２２２ＭＨｚ、ＵＨＦテレビの場合は１３〜６２チャネルで４７０〜７７０ＭＨｚである。
従って、対応するバンドがＦＭ〜ＵＨＦまでの場合は、高域側ストッパー２１は、遮断周波数が７７０ＭＨｚであり、これに対応する電気長（同調させるアンテナの長さが（１／４）λであれば０．１ｍ）の所に固定されている。また、低域側ストッパー２２は、遮断周波数が７６ＭＨｚであり、これに対応する電気長（同調させるアンテナの長さが（１／４）λであれば０．９９ｍ）の所に固定されている。この電気長とは、ＡＣアダプタ２０が接続される図示外の電子機器の内部のアンテナの給電点からの距離である。
【００２５】
これにより、本実施形態によれば、７６ＭＨｚより低い周波数及び７７０ＭＨｚより高い周波数には同調できないように構成することができる。
【００２６】
（第３の実施形態）
図６は本発明の第３の実施形態に係るＡＣアダプタ３０の外観図である。なお、本実施形態において、第１の実施形態と同一部分には同一符号を付して重複説明を避ける。
本実施形態のＡＣアダプタ３０は、コネクタ部１１と、コード１２と、フェライト１３と、ＡＣ／ＤＣ変換部１４と、ＡＣプラグ１５と、高域側ストッパー２１と、低域側ストッパー２２との他に、使用周波数の帯域を識別する識別表示手段として、高域用マーカー３１と、中域用マーカー３２と、低域用マーカー３３とを備えている。
【００２７】
即ち、本実施形態でも、任意の電気長のコード１２にフェライト１３を挿入することにより、高周波で任意の電気長を作り出すことが可能であり、また、高域側ストッパー２１と低域側ストッパー２２により、対応周波数の下限周波数と上限周波数の範囲内を自由に設定することが可能である。
【００２８】
さらに、本実施形態では、第１、第２の実施形態と異なり、フェライト１３を移動させて周波数を同調させるための位置を、対応周波数の中から、ＦＭバンド、ＶＨＦバンド、ＵＨＦバンド等のバンド毎に（或いは帯域毎に）予め算出して探し出してあり、この位置を識別表示手段であるマーカーによって目安表示させている。
具体例として、例えば高域用マーカー３１がＦＭバンド（７６〜９０ＭＨｚ）、中域用マーカー３２がＶＨＦバンド（９０〜２２２ＭＨｚ）、低域用マーカー３３がＵＨＦバンド（４７０〜７７０ＭＨｚ）に、それぞれ対応させている。
これにより、各マーカー３１〜３３を手掛かりにして、周波数の同調を容易に行うことができるようになる。
【００２９】
（第４の実施形態）
図７は本発明の第４の実施形態に係るＡＣアダプタ４０の外観図である。
本実施形態の特徴としては、第１の実施形態から第３の実施形態のＡＣアダプタ１０〜３０において、ノイズフィルタ４１を装着したものである。
【００３０】
このノイズフィルタ４１は、ＡＣ／ＤＣ変換部１４に使われているスイッチング用発振周波数のノイズを除去するためのものである。また、その装着位置としては、ＡＣ／ＤＣ変換部１４の出力側に近い所に置くことが効果的である。特に、コード１２をアンテナとしているため、スイッチング用発振周波数の高調波がそのアンテナを経由して、図示外の
携帯端末装置（受信機）のフロントエンド部に混入しやすいため、ノイズの除去が必要となっているからである。
【００３１】
（第５の実施形態）
図８は本発明の第５の実施形態に係るＡＣアダプタ５０を携帯端末装置６０に接続したときの要部の回路構成を示す。なお、本実施形態のＡＣアダプタ５０としては、図９を用いて後にその構成を説明するが、前述した第１の実施形態から第４の実施形態に係るＡＣアダプタ１０〜ＡＣアダプタ４０のいずれを用いてもよい。
【００３２】
コネクタ部１１を携帯端末装置６０に接続した状態において、コード１２がアンテナとして動作する。
このコード１２は、通常は同軸構造になっており、図示しない外皮側の電線をアンテナとして使用する。外皮側の電線は、通常ＧＮＤ側として使用される。外皮側の電線は、高周波遮断コイル６１に接続され、ＧＮＤ６２に終端されている。コード１２をアンテナとして使用する周波数範囲が、例えば７６ＭＨｚ〜７７０ＭＨｚであれば、１００ｎＨ〜１０μＨ程度のコイルを高周波遮断コイル６１として用いることで、ＧＮＤ６２側に流れる高周波電流を遮断することができる。
【００３３】
また、コード１２の外皮側の電線はコンデンサ６３を経由して、アンテナ給電点６４に接続している。コンデンサ６４は、直流カットの他、静電気によるフロントエンド部またはスイッチ部の半導体素子の破壊防止の役目を果たしている。コード１２をアンテナとして使用する周波数範囲が、例えば７６ＭＨｚ〜７７０ＭＨｚであれば、１０００ｐＦ〜０．０１μＦ程度のコンデンサ６３を用いることで、該当周波数をほとんど減衰させることなく通過させることができる。
【００３４】
また、コード１２の芯線側の電線は、通常＋側の電源６５として使用される。この芯線側の電線に携帯端末装置６０のノイズが重畳すると、コード１２の内部で外皮側の電線にノイズが容量結合するため、芯線側にも高周波遮断コイル６６を挿入する。
この高周波遮断コイル６６は、高周波遮断コイル６１と同様に、周波数範囲が例えば７６ＭＨｚ〜７７０ＭＨｚであれば、１００ｎＨ〜１０μＨ程度のコイルを高周波遮断コイル６６として用いることで、外皮側の電線にノイズが容量結合することを防ぐ。
【００３５】
次に、図９は本発明の第５の実施形態に係るＡＣアダプタ５０を携帯端末装置６０に接続したときの全体構成を示すブロック図である。
同図において、ＡＣアダプタ５０は、ＡＣ／ＤＣ変換部１４と、携帯端末装置６０と接続するためのコネクタ１１と、コードアンテナ（外部アンテナ）１２と、フェライト１３と、を備えている。
【００３６】
一方、携帯端末装置６０には、アンテナ（内部アンテナ）７１と、電源部７２と、アンテナ切替部７３と、アンテナ切替制御部７４と、電源アンテナ分離部７５と、コネクタ７６と、ＡＣアダプタ挿入検出部７７などを備えている。なお、電源アンテナ分離部７５は、内部アンテナ７１と、ＡＣアダプタ５０の電源とコードの外皮の導線を利用したコードアンテナ１２とを分離する手段を構成する。
【００３７】
ＡＣアダプタ５０が携帯端末装置６０のコネクタ７６に接続（挿入）されると、この接続状態がＡＣアダプタ挿入検出部７７によって検出され、アンテナ切替制御部７４によって、アンテナ切替部７３が動作し、アンテナ（内部アンテナ）７１からＡＣアダプタ側のコードアンテナ（外部アンテナ）１２に切替わる。即ち、本実施形態によれば、携帯端末装置６０にＡＣアダプタ５０を接続するだけで、携帯端末装置のアンテナを、アンテナ７１からコードアンテナ１２に自動的に切替えることができる。
【００３８】
本発明を詳細にまた特定の実施態様を参照して説明したが、本発明の精神と範囲を逸脱することなく様々な変更や修正を加えることができることは当業者にとって明らかである。
【産業上の利用可能性】
【００３９】
以上説明したように、本発明のＡＣアダプタ及び携帯端末装置は、通信機能を備える携帯端末装置本体に電源供給として接続されるＡＣアダプタにおいて、アンテナの機能を持たせることで、安定した通信を容易に実現することが可能となる携帯電話機、ＰＨＳ、ＰＤＡ、携帯型のラジオ、携帯型のテレビ、無線ＬＡＮ、Ｂｌｕｅｔｏｏｔｈ、ＲＦＩＤなどに有用である。
【図面の簡単な説明】
【００４０】
【図１】本発明の第１の実施形態に係るＡＣアダプタの外観斜視図
【図２】そのＡＣアダプタに設けたフェライトによる周波数特性図
【図３】その可動可能なフェライトの具体的な形状を示す斜視図
【図４】そのフェライトの変形例である、脱着可能なフェライトを示す斜視図
【図５】本発明の第２の実施形態に係るＡＣアダプタの外観斜視図
【図６】本発明の第３の実施形態に係るＡＣアダプタの外観斜視図
【図７】本発明の第４の実施形態に係るＡＣアダプタの外観斜視図
【図８】本発明の第５の実施形態に係る携帯端末装置の要部の回路構成図
【図９】その携帯端末装置の全体構成を示すブロック図
【図１０】従来のＡＣアダプタを示す外観斜視図
【符号の説明】
【００４１】
１０、２０、３０、４０、５０  ＡＣアダプタ
１１、７６  コネクタ
１２  コード（外部アンテナ）
１３、１３Ａ、１３Ｂ  フェライト
１４  ＡＣ／ＤＣ変換部
１５  ＡＣプラグ
２１  高域側ストッパー（ストッパー）
２２  低域側ストッパー（ストッパー）
３１  高域用マーカー（識別表示手段）
３２  中域用マーカー（識別表示手段）
３３  低域用マーカー（識別表示手段）
４１  ノイズフィルタ
６０  携帯端末装置
６１、６６  高周波遮断コイル
６２  ＧＮＤ
６３  コンデンサ
６４  アンテナ給電点
６５  ＋側の電源
７１  アンテナ（内部アンテナ）
７２  電源部
７３  アンテナ切替部
７４  アンテナ切替制御部
７５  電源アンテナ分離部
７７  ＡＣアダプタ挿入検出部
【手続補正３】
【補正対象書類名】図面
【補正対象項目名】全図
【補正方法】変更
【補正の内容】
【図１】
2007138670.tif 000013
【図２】
2007138670.tif 000014
【図３】
2007138670.tif 000015
【図４】
2007138670.tif 000016
【図５】
2007138670.tif 000017
【図６】
2007138670.tif 000018
【図７】
2007138670.tif 000019
【図８】
2007138670.tif 000020
【図９】
2007138670.tif 000021
【図１０】
2007138670.tif 000022
【国際調査報告】
2007138670.tif 000023
2007138670.tif 000024
2007138670.tif 000025
2007138670.tif 000026